(57)【要約】  【課題】  最良の受信状況であるアンテナからの受信信号を常時入力でき尚かつ低廉なダイバーシティ受信用チューナを提供する。  【解決手段】  ＰＬＬ回路１ｅと第一のＰＬＬ回路１ｅが生成する同調電圧によって制御される電圧制御発振回路１ｆと有し、電圧制御発振回路１ｆから出力される局部発振信号を用いて受信希望信号を周波数変換する第一のチューナ１’と、電圧制御発振回路１ｆから出力される局部発振信号を用いて受信希望信号を周波数変換するチューナ２’とを備えるダイバーシティ受信用チューナ１０１。【選択図】      図１
2005130279.tif 000002
【特許請求の範囲】
【請求項１】
第一のＰＬＬ回路と前記第一のＰＬＬ回路が生成する同調電圧によって制御される第一の電圧制御発振回路と有し、前記第一の電圧制御発振回路から出力される局部発振信号を用いて受信希望信号を周波数変換する第一のチューナを一つ備え、
前記電圧制御発振回路から出力される局部発振信号を用いて受信希望信号を周波数変換するチューナを少なくとも一つ備えることを特徴とするダイバーシティ受信用チューナ。
【請求項２】
バッファ回路を少なくとも一つ備え、
前記電圧制御発振回路から出力される局部発振信号が前記バッファ回路を介して前記チューナに供給される請求項１に記載のダイバーシティ受信用チューナ。
【請求項３】
前記チューナを少なくとも二つ備え、
バルンコイルを少なくとも一つ備え、
前記電圧制御発振回路から出力される局部発振信号が前記バルンコイルを介して前記チューナに供給されるとともに、前記バルンコイルが前記チューナ同士に関してアイソレーションを発生させる請求項１に記載のダイバーシティ受信用チューナ。
【請求項４】
第一のＰＬＬ回路と前記第一のＰＬＬ回路が生成する同調電圧によって制御される第一の電圧制御発振回路と有し、前記第一の電圧制御発振回路から出力される局部発振信号を用いて受信希望信号を周波数変換する第一のチューナを一つ備え、
前記第一のＰＬＬ回路が生成する同調電圧によって制御される電圧制御発振回路と有し、前記電圧制御発振回路から出力される局部発振信号を用いて受信希望信号を周波数変換するチューナを少なくとも一つ備えることを特徴とするダイバーシティ受信用チューナ。
【請求項５】
前記第一のチューナがＩＣチップに搭載され、前記チューナが個別にＩＣチップに搭載されている請求項１〜４のいずれかに記載のダイバーシティ受信用チューナ。
【請求項６】
前記第一のチューナ及び前記チューナそれぞれが受信信号から受信希望信号を選別する選別部を有し、
前記選別部に設けられるフィルタの少なくとも一つは前記第一のＰＬＬ回路が生成する同調電圧によってフィルタ特性が制御される請求項１〜５のいずれかに記載のダイバーシティ受信用チューナ。
【請求項７】
前記第一のチューナ及び前記チューナそれぞれが個別に筐体で覆われ、電気的にシールドされている請求項１〜６のいずれかに記載のダイバーシティ受信用チューナ。
【請求項８】
請求項１〜７のいずれかに記載のダイバーシティ受信用チューナを備えることを特徴とするダイバーシティ受信装置。
【請求項９】
請求項８に記載のダイバーシティ受信装置を備えることを特徴とする電気機器。
【発明の詳細な説明】
【技術分野】
【０００１】
本発明は、ダイバーシティ受信用チューナに関するものである。
【背景技術】
【０００２】
従来のチューナとして、ここでは各ＴＶ放送局より送信される多数の信号の一つを選局し、希望の番組を受信するためのチューナを例に挙げて説明する。従来のチューナの一構成例を図５に示す。図５に示す従来のチューナ１は、ＲＦ入力端子１ａと、バンドパスフィルタ（ＢＰＦ）１ｂと、ＲＦアンプ１ｃと、バンドパスフィルタ（ＢＰＦ）１ｄと、ＰＬＬ回路１ｅと、電圧制御発振回路（ＶＣＯ）１ｆと、ミキサ回路１ｇと、ＩＦ出力端子１ｈとを備えている。そして、ＲＦ入力端子１ａにアンテナ３が接続され、ＩＦ出力端子１ｈに復調回路４が接続される。
【０００３】
アンテナ３によって受信された多数の受信信号がＲＦ入力端子１ａに入力され、先ず、ＰＬＬ回路１ｅが生成する同調電圧に応じてフィルタ特性が変化するバンドパスフィルタ１ｂにより多数の受信信号の中から受信希望信号のみが選別される。バンドパスフィルタ１ｂによって選別された受信希望信号がＲＦアンプ１ｃで増幅される。
【０００４】
その後、ＰＬＬ回路１ｅが生成する同調電圧に応じてフィルタ特性が変化するバンドパスフィルタ１ｄによりＲＦアンプ１ｃの出力信号の中から受信希望信号のみが更に選別され、ミキサ回路１ｇに入る。また、ミキサ回路１ｇには、電圧制御発振回路１ｆが発振する局部発振信号も入力される。なお、局部発振信号の周波数は、ＰＬＬ回路１ｅが生成する同調電圧に応じて変化する。
【０００５】
ミキサ回路１ｇは、受信希望信号と局部発振信号を混合することにより周波数変換をおこない、受信希望信号を中間周波（ＩＦ）信号にダウンコンバートしＩＦ出力端子１ｈに出力する。中間周波信号の周波数は局部発振信号の周波数と受信希望信号の周波数との差により決定される。ＰＬＬ回路１ｅは受信希望チャンネル毎に異なる値の同調電圧を生成する。これにより、局部発振信号の周波数は受信希望信号の周波数に比例して変更され、ミキサ回路１ｇから出力される中間周波信号は常に一定の周波数となる。
【０００６】
ＩＦ出力端子１ｈから復調回路４に送出される中間周波信号は、復調回路４によって復調される。例えばデジタルＴＶ放送を受信する場合、復調回路４として中間周波信号をデジタル復調してトランスポートストリーム等のデジタル信号を得る復調回路を用いる。また、アナログＴＶ放送を受信する場合、復調回路４として中間周波信号をアナログ復調して映像信号や音声信号等のアナログ信号を得る復調回路を用いる。
【０００７】
ところで、車載用ＴＶや携帯用ＴＶ、携帯用ラジオ、携帯電話機等においては、アンテナの位置や向き角度の変化により受信状況が著しく変化する事がある。このため、車載用ＴＶや携帯用ＴＶ、携帯用ラジオ、携帯電話機等においては、図５に示す受信装置ではなく、複数のアンテナを使用し一番受信状態の良いアンテナを選択する事によって受信状況の変化に対応する受信装置（ダイバーシティ受信装置）を用いることが一般的である。
【０００８】
ここで、従来のダイバーシティ受信用チューナの一構成例を図６に示す。なお、図６において図５と同一の部分には同一の符号を付し詳細な説明を省略する。従来のダイバーシティ受信用チューナ１００は、第一のチューナ１と第二のチューナ２とを備えている。
【０００９】
第二のチューナ２は第一のチューナ１と同一の構成である。すなわち、ＲＦ入力端子２ａはＲＦ入力端子１ａと、バンドパスフィルタ（ＢＰＦ）２ｂはバンドパスフィルタ１ｂと、ＲＦアンプ２ｃはＲＦアンプ１ｃと、バンドパスフィルタ（ＢＰＦ）２ｄはバンドパスフィルタ１ｄと、ＰＬＬ回路２ｅはＰＬＬ回路１ｅと、電圧制御発振回路（ＶＣＯ）２ｆは電圧制御発振回路１ｆと、ミキサ回路２ｇはミキサ回路１ｇと、ＩＦ出力端子２ｈはＩＦ出力端子１ｈとそれぞれ同一の部品である。
【００１０】
第一のチューナ１のＲＦ入力端子１ａはアンテナ３に接続され、第二のチューナ２のＲＦ入力端子２ａはアンテナ５に接続される。また、第一のチューナ１のＩＦ出力端子１ｈは復調回路４に接続され、、第二のチューナ２のＩＦ出力端子２ｈは復調回路６に接続される。そして、比較器７は、復調回路４から出力される復調信号と復調回路６から出力される復調信号とを比較し、品質が良い方の復調信号（復調信号がアナログ信号であればＳ／Ｎが高い方の復調信号であり、復調信号がデジタル信号であればビットエラーレートが低い方の復調信号）を選択して出力する。
【００１１】
なお、従来のダイバーシティ受信用チューナ１００は、第一のチューナ１と第二のチューナ２とで同一の放送を選択している。すなわち、ＰＬＬ回路１ｅとＰＬＬ回路２ｅは同一の同調電圧を生成し、電圧制御発振回路１ｆと電圧制御発振回路２ｆは同一の局部発振信号を発振する。したがって、復調回路４から出力される復調信号と復調回路６から出力される復調信号は、当然同一内容となる。
【００１２】
例えば、アンテナ３の受信状況が悪くなったとするとアンテナ３で受信した信号を処理して得られた復調信号の品質も悪化するが、アンテナ５の受信状況が悪くなっていなければアンテナ５で受信した信号を処理して得られた復調信号の品質は良好であるため、比較器７は、アンテナ３で受信した信号を処理して得られた復調信号を破棄し、アンテナ５で受信した信号を処理して得られた復調信号を選択する。これにより、受信装置トータルでの復調信号の品質を良好に保つことができる。
【００１３】
ダイバーシティ受信方式とは、このように複数のアンテナの一部において受信状況が悪くなったとしても、複数のアンテナのどれか１つ以上の受信状況がよければ、受信装置トータルでの受信状態が悪化しない受信方式である。
【特許文献１】特開平１０−８４２９７号公報（図３）
【発明の開示】
【発明が解決しようとする課題】
【００１４】
図６に示す従来のダイバーシティ受信用チューナ１００は、チューナを二つ具備しているため、図５に示す従来のチューナ１に比べてコストがかかる構成になっていた。また、ダイバーシティ受信ではアンテナの本数を増やすほど受信性能が良好にとなるが、アンテナの本数分のチューナを具備する必要が有るため、アンテナの本数を増やすと更にコストがかかってしまうという問題があった。
【００１５】
一方、特許文献１に開示されているダイバーシティ受信用チューナは、一つのチューナと、そのチューナと複数のアンテナとの接続状態を切り換えるスイッチとを備える構成であるため、図６に示す従来のダイバーシティ受信用チューナ１００と比較して低コスト化を図ることができる。しかしながら、特許文献１に開示されているダイバーシティ受信用チューナでは複数のアンテナでの受信状況を同時に比較できないため、最良の受信状況であるアンテナからの受信信号を常時入力することが困難であるという問題があった。
【００１６】
本発明は、上記の問題点に鑑み、最良の受信状況であるアンテナからの受信信号を常時入力でき尚かつ低廉なダイバーシティ受信用チューナ並びにこれを備える受信装置及び電気機器を提供することを目的とする。
【課題を解決するための手段】
【００１７】
上記目的を達成するために本発明に係るダイバーシティ受信用チューナにおいては、第一のＰＬＬ回路と前記第一のＰＬＬ回路が生成する同調電圧によって制御される第一の電圧制御発振回路と有し、前記第一の電圧制御発振回路から出力される局部発振信号を用いて受信希望信号を周波数変換する第一のチューナを一つ備え、前記電圧制御発振回路から出力される局部発振信号を用いて受信希望信号を周波数変換するチューナを少なくとも一つ備える構成（以下、第一の構成ともいう）としている。
【００１８】
このような構成によると、チューナの構成部品の中でコスト比率の高い回路であるＰＬＬ回路と電圧制御発信回路を前記第一のチューナにのみ設ける構成であるため、各チューナにＰＬＬ回路と電圧制御発信回路を設ける構成に比べて、低コスト化を図ることができる。さらに、複数のアンテナ毎にチューナを設けることができるので、最良の受信状況であるアンテナからの受信信号を常時入力することができる。
【００１９】
また、上記第一の構成において、バッファ回路を少なくとも一つ備え、前記電圧制御発振回路から出力される局部発振信号が前記バッファ回路を介して前記チューナに供給されるようにしてもよい。
【００２０】
このような構成によると、前記チューナから前記第一のチューナへのＩＦ信号等の漏れを抑える事が可能となるとともに、前記チューナに設けられるミキサが動作する事により当該ミキサのインピーダンス等が変化しその変化が前記第一の電圧制御発振回路に影響を及ぼす事により発生するフェーズノイズ悪化等を軽減させる事が可能となる。なお、前記バッファ回路にバッファアンプ（増幅度が１以上のバッファ回路）を用いると、前記第一の電圧制御発振回路が発振する局部発振信号を安定したレベルで前記チューナへ供給する事が可能となる。
【００２１】
また、上記第一の構成において、前記チューナを少なくとも二つ備え、バルンコイルを少なくとも一つ備え、前記電圧制御発振回路から出力される局部発振信号が前記バルンコイルを介して前記チューナに供給されるとともに、前記バルンコイルが前記チューナ同士に関してアイソレーションを発生させるようにしてもよい。
【００２２】
このような構成によると、前記チューナ間の干渉をより一層低減することができる。
【００２３】
上記目的を達成するために本発明に係るダイバーシティ受信用チューナにおいては、第一のＰＬＬ回路と前記第一のＰＬＬ回路が生成する同調電圧によって制御される第一の電圧制御発振回路と有し、前記第一の電圧制御発振回路から出力される局部発振信号を用いて受信希望信号を周波数変換するチューナを一つ備え、前記第一のＰＬＬ回路が生成する同調電圧によって制御される電圧制御発振回路と有し、前記電圧制御発振回路から出力される局部発振信号を用いて受信希望信号を周波数変換するチューナを少なくとも一つ備える構成（以下、第二の構成ともいう）としている。
【００２４】
このような構成によると、チューナの構成部品の中でコスト比率の高い回路であるＰＬＬ回路を前記第一のチューナにのみ設ける構成であるため、各チューナにＰＬＬ回路を設ける構成に比べて、低コスト化を図ることができる。さらに、複数のアンテナ毎にチューナを設けることができるので、最良の受信状況であるアンテナからの受信信号を常時入力することができる。
【００２５】
また、上記第一の構成又は上記第二の構成において、前記第一のチューナがＩＣチップに搭載され、前記チューナが個別にＩＣチップに搭載されるようにしてもよい。
【００２６】
このような構成によると、一般的なＩＣチップを用いているため、より安価で汎用性のある回路構成のダイバーシティ受信用チューナを実現することができる。
【００２７】
また、上記いずれかの構成において、前記第一のチューナ及び前記チューナそれぞれが受信信号から受信希望信号を選別する選別部を有し、前記選別部に設けられるフィルタの少なくとも一つは前記第一のＰＬＬ回路が生成する同調電圧によってフィルタ特性が制御されるようにしてもよい。
【００２８】
このような構成によると、前記第一のチューナと前記チューナのいずれにおいても選別部に設けられるフィルタの少なくとも一つが前記第一のＰＬＬ回路が生成する同調回路によってフィルタ特性が制御されるので、前記第一のチューナと前記チューナとで当該フィルタ特性の差が少なくなる。したがって、前記第一のチューナと前記チューナの特性差が少なくなる。
【００２９】
また、上記いずれかの構成において、前記第一のチューナ及び前記チューナそれぞれが個別に筐体で覆われ、電気的にシールドされているようにしてもよい。
【００３０】
このような構成によると、各チューナ間の干渉を低減することができる。
【００３１】
また、上記目的を達成するために、本発明に係るダイバーシティ受信装置は上記いずれかの構成のダイバーシティ受信用チューナを備え、本発明に係る電気機器は前記ダイバーシティ受信装置を備えるようにする。
【発明の効果】
【００３２】
本発明によると、最良の受信状況であるアンテナからの受信信号を常時入力でき尚かつ低廉なダイバーシティ受信用チューナ並びにこれを備える受信装置及び電気機器を実現することができる。
【発明を実施するための最良の形態】
【００３３】
本発明の一実施形態について図面を参照して以下に説明する。本発明に係るダイバーシティ受信用チューナとして、ここでは各ＴＶ放送局より送信される多数の信号の一つを選局し、希望の番組を受信するためのチューナを例に挙げて説明する。
【００３４】
まず、本発明の第一実施形態に係るダイバーシティ受信用チューナについて説明する。本発明の第一実施形態に係るダイバーシティ受信用チューナの構成を図１に示す。なお、図１において図６と同一の部分については同一の符号を付し詳細な説明を省略する。
【００３５】
本発明の第一実施形態に係るダイバーシティ受信用チューナ１０１は、第一のチューナ１’と第二のチューナ２’を備えている。
【００３６】
第一のチューナ１’は、図６に示す従来のダイバーシティ受信用チューナ１００が具備する第一のチューナ１に局部発振信号出力端子１ｉと同調電圧出力端子１ｊを新たに加えた構成であり、アンテナ３が受信する信号を処理して中間周波信号を生成して復調回路４に出力するとともに、電圧制御発振回路１ｆから発振される局部発振信号を局部発振信号出力端子１ｉから第二のチューナ２’に出力し、ＰＬＬ回路１ｅによって生成される同調電圧を同調電圧出力端子１ｊから第二のチューナ２’に出力する。また、第一のチューナ１’は筐体で覆われ電気的にシールドされている。
【００３７】
第二のチューナ２’は、図６に示す従来のダイバーシティ受信用チューナ１００が具備する第二のチューナ２からＰＬＬ回路２ｅと電圧制御発振回路２ｆを取り除き局部発振信号入力端子２ｉと同調電圧入力端子２ｊを新たに加えた構成であり、第一のチューナ１’から出力された局部発振信号が局部発振信号入力端子２ｉを介してミキサ２ｇに供給され、第一のチューナ１’から出力された同調電圧が同調電圧入力端子２ｊを介してバンドパスフィルタ２ｂ及びバンドパスフィルタ２ｄに供給される。
【００３８】
第一のチューナ１’が具備するＲＦ入力端子１ａはアンテナ３に接続され、第二のチューナ２’が具備するＲＦ入力端子２ａはアンテナ５に接続される。また、第一のチューナ１’が具備するＩＦ出力端子１ｈは復調回路４に接続され、、第二のチューナ２’が具備するＩＦ出力端子２ｈは復調回路６に接続される。そして、比較器７は、復調回路４から出力される復調信号と復調回路６から出力される復調信号とを比較し、品質の良い方の復調信号（復調信号がアナログ信号であればＳ／Ｎが高い方の復調信号であり、復調信号がデジタル信号であればビットエラーレートが低い方の復調信号）を選択して出力する。
【００３９】
このような構成によると、第一のチューナ１’の局部発振信号と第二のチューナ２’の局部発振信号とが同一の信号となり、第一のチューナ１’と第二のチューナ２’が同一の放送を選択するので、ダイバーシティ受信が可能となる。また、本発明の第一実施形態に係るダイバーシティ受信用チューナ１０１は、チューナの構成部品の中でコスト比率の高い回路であるＰＬＬ回路と電圧制御発信回路を第一のチューナ１’にのみ設ける構成であるため、各チューナにＰＬＬ回路と電圧制御発信回路を設ける構成に比べて、低コスト化を図ることができる。さらに、複数のアンテナ毎にチューナを設けるので、最良の受信状況であるアンテナからの受信信号を常時入力することができる。
【００４０】
また、このような構成によると、第一のチューナ１’の同調電圧と第二のチューナ２’の同調電圧とが同一となるため、バンドパスフィルタ１ｂとバンドパスフィルタ２ｂのフィルタ特性差及びバンドパスフィルタ１ｄとバンドパスフィルタ２ｄのフィルタ特性差が少なくなり第一のチューナ１’と第二のチューナ２’の特性差が少なくなる上に、第一のチューナ１’の選局時間と第二のチューナ２’の選局時間とが同調する。かかる選局時間の同調により、選局時に第一のチューナ１’の状態と第二のチューナ２’の状態を順次確認する必要がなくなるため、短時間で選局が行なわれる。
【００４１】
また、第一のチューナ１’と第二のチューナ２’は同一の受信希望信号を扱うので、各チューナをそれぞれ筐体で覆って電気的にシールドしなくてもある程度の性能は確保できるが、各チューナ間の干渉を考慮するとそれぞれのチューナは筐体で覆われ電気的にシールドされていることが望ましい。また、第一のチューナ１’を筐体で覆って電気的にシールドし更に局部発振信号出力端子１ｉ及び同調電圧出力端子１ｊを設けることにより、第一のチューナ１’を本発明に係るダイバーシティ受信用チューナの一部として使用する事も可能であるし、ダイバーシティ方式を用いない場合にはチューナ単体としても使用する事が出来る。つまり、第一のチューナ１’としてダイバーシティ方式専用の物を作成する必要はなく、従来のチューナ１（図５参照）に少しの変更を付加するだけで、本発明に係るダイバーシティ受信用チューナの一部としても使用する事ができ、チューナ単体としても使用する事ができる汎用性の高いチューナとする事が可能となり、設計効率等を高めることができる。
【００４２】
次に、本発明の第二実施形態に係るダイバーシティ受信用チューナについて説明する。本発明の第二実施形態に係るダイバーシティ受信用チューナの構成を図２（ａ）に示す。なお、図２において図１と同一の部分については同一の符号を付し詳細な説明を省略する。
【００４３】
最近、高周波回路に関するＩＣ化技術の発展により、ミキサ回路、ＰＬＬ回路、及び電圧制御発振回路が一体化したＩＣチップやミキサ回路と電圧制御発振回路が一体化したＩＣチップが一般的になっている。本発明の第二実施形態に係るダイバーシティ受信用チューナ１０２は、それら２種類のＩＣチップと、タンク回路８と、コンデンサ９とを備える構成である。
【００４４】
本発明の第二実施形態に係るダイバーシティ受信用チューナ１０２が具備する第一のチューナＩＣチップＰ１は、ミキサ回路１ｇ、ＰＬＬ回路１ｆ、及び電圧制御発振回路１ｅが一体化したＩＣチップであり、タンク回路接続端子１ｋを有している。また、本発明の第二実施形態に係るダイバーシティ受信用チューナ１０２が具備する第二のチューナＩＣチップＰ２は、ミキサ回路２ｇ及び電圧制御発振回路２ｅが一体化したＩＣチップであり、タンク回路接続端子２ｋを有している。
【００４５】
タンク回路８はコイルや可変容量素子（ダイオードが一般的）やコンデンサよりなり電圧制御発振回路の同調周波数を決定する回路である。
【００４６】
タンク回路接続端子１ｋは直接タンク回路８に接続され、タンク回路接続端子２ｋは小容量のコンデンサ９を介してタンク回路８にルーズカップリングされる。なお、コンデンサ９の代わりにタンク回路接続端子２ｋとタンク回路８をルーズカップリングする他の素子を用いても構わない。また、タンク回路接続端子１ｋと直接タンク回路８をルーズカップリングし、タンク回路接続端子２ｋと直接タンク回路８を直接接続してもよい。
【００４７】
このような構成によると、第一のチューナの局部発振信号と第二のチューナの局部発振信号とが同一発振周波数の信号となり、第一のチューナと第二のチューナが同一の放送を選択するので、ダイバーシティ受信が可能となる。また、本発明の第二実施形態に係るダイバーシティ受信用チューナ１０２は、チューナの構成部品の中でコスト比率の高い回路であるＰＬＬ回路を第一のチューナにのみ設ける構成であるため、各チューナにＰＬＬ回路を設ける構成に比べて、低コスト化を図ることができる。さらに、複数のアンテナ毎にチューナを設けるので、最良の受信状況であるアンテナからの受信信号を常時入力することができる。
【００４８】
また、このような構成によると、第一のチューナの同調電圧と第二のチューナの同調電圧とが同一となるため、バンドパスフィルタ１ｂとバンドパスフィルタ２ｂのフィルタ特性差及びバンドパスフィルタ１ｄとバンドパスフィルタ２ｄのフィルタ特性差が少なくなり第一のチューナと第二のチューナの特性差が少なくなる上に、第一のチューナの選局時間と第二のチューナの選局時間とが同調する。かかる選局時間の同調により、選局時に第一のチューナの状態と第二のチューナの状態を順次確認する必要がなくなるため、短時間で選局が行なわれる。
【００４９】
また、第一のチューナと第二のチューナは同一の受信希望信号を扱うので、各チューナをそれぞれ筐体で覆って電気的にシールドしなくてもある程度の性能は確保できるが、各チューナ間の干渉を考慮するとそれぞれのチューナは筐体で覆われ電気的にシールドされていることが望ましい。また、第一のチューナを筐体で覆って電気的にシールドし更に局部発振信号出力端子１ｉ及び同調電圧出力端子１ｊを設けることにより、第一のチューナを本発明に係るダイバーシティ受信用チューナの一部として使用する事も可能であるし、ダイバーシティ方式を用いない場合にはチューナ単体としても使用する事が出来る。つまり、第一のチューナとしてダイバーシティ方式専用の物を作成する必要はなく、従来のチューナ１（図５参照）に少しの変更を付加するだけで、本発明に係るダイバーシティ受信用チューナの一部としても使用する事ができ、チューナ単体としても使用する事ができる汎用性の高いチューナとする事が可能となり、設計効率等を高めることができる。
【００５０】
さらに、本発明の第二実施形態に係るダイバーシティ受信用チューナ１０２は、一般的なＩＣチップを用いているので、より安価で汎用性のある回路構成とする事が可能となる。また、電圧制御発振回路毎にタンク回路を設けず、電圧制御発振回路１ｆと電圧制御発振回路２ｆがタンク回路８を共用しているので、部品点数を少なくすることができ、より安価な回路構成とすることが可能となる。
【００５１】
なお、ＰＬＬ回路及び電圧制御発振回路が搭載されていないＩＣチップを用いる場合には、図２（ｂ）に示すような回路構成のダイバーシティ受信用チューナ１０２’にするとよい。
【００５２】
次に、本発明の第三実施形態に係るダイバーシティ受信用チューナについて説明する。本発明の第三実施形態に係るダイバーシティ受信用チューナの構成を図３に示す。なお、図３において図１と同一の部分については同一の符号を付し詳細な説明を省略する。
【００５３】
本発明の第三実施形態に係るダイバーシティ受信用チューナ１０３は、図１に示す本発明の第一実施形態に係るダイバーシティ受信用チューナ１００にバッファアンプ１０を新たに加えた構成である。バッファアンプ１０の入力側が局部発振信号出力端子１ｉに接続され、バッファアンプ１０の出力側が局部発振信号入力端子２ｉに接続される。
【００５４】
このような構成によると、第二のチューナ２’から第一のチューナ１’へのＩＦ信号等の漏れを抑える事が可能となるとともに、第二のチューナ２’のミキサ２ｇが動作する事によりミキサ２ｇのインピーダンス等が変化しその変化が第一のチューナ１’の電圧制御発振回路１ｆに影響を及ぼす事により発生するフェーズノイズ悪化等を軽減させる事が可能となる。なお、バッファアンプ（増幅度が１以上のバッファ回路）の代わりに増幅度が１未満のバッファ回路を用いても同様の効果を得ることができる。
【００５５】
また、バッファアンプ１０は増幅度が１以上のバッファ回路であるので、第一のチューナ１’の電圧制御発振回路１ｆが発振する局部発振信号を安定したレベルで第二のチューナ２’へ供給する事が可能となる。
【００５６】
次に、本発明の第四実施形態に係るダイバーシティ受信用チューナについて説明する。本発明の第四実施形態に係るダイバーシティ受信用チューナの構成を図４に示す。なお、図４において図１と同一の部分については同一の符号を付し詳細な説明を省略する。
【００５７】
本発明の第四実施形態に係るダイバーシティ受信用チューナ１０４は、図１に示す本発明の第一実施形態に係るダイバーシティ受信用チューナ１００にバルンコイル１１と、第三のチューナ（不図示）とを新たに加えた構成である。なお、第三のチューナは第二のチューナ２’と同一の構成である。
【００５８】
バルンコイル１１の中点が局部発振信号出力端子１ｉに接続され、バルンコイル１１の一端が局部発振信号入力端子２ｉに接続され、バルンコイル１１の他端が第三のチューナに設けられる局部発振信号入力端子に接続される。
【００５９】
このような構成により、第二のチューナ２’と第三のチューナのアイソレーションを保つ事が可能となる。これにより、第二のチューナ２’、第三のチューナ間の干渉をより一層低減することができる。一方、第一のチューナ１’と第二のチューナ２’に関してアイソレーションは発生せず、第一のチューナ１’と第三のチューナに関してアイソレーションは発生しないので、局部発振信号は第一のチューナ１’から第二のチューナ２’及び第三のチューナそれぞれに供給される。また、本発明に係るダイバーシティ受信用チューナがチューナを四つ以上具備する構成である場合はバルンコイルを増やすことで第一のチューナ１’以外のチューナ相互間のアイソレーションを保つようにするとよい。例えば本発明に係るダイバーシティ受信用チューナがチューナを四つ具備する場合は、バルンコイルを一つ追加し、追加したバルンコイルの中点にバルンコイル１１の他端を接続することで、局部発振信号の分配数を三つに増やすようにする。
【００６０】
なお、上記第一〜第四実施形態では、第一のチューナと第二のチューナをシングルコンバージョン方式のチューナにしたが、第一のチューナと第二のチューナをダブルコンバージョン方式などの２種類以上の局部発振信号が必要なチューナとし、第一のチューナに２個以上の電圧制御発振回路を設け、第二のチューナに電圧制御発振回路を設けず、各電圧制御発振回路から発振される局部発振信号が第一のチューナから第二のチューナに送出される構成にしてもよい。
【００６１】
また、上記第一〜第三実施形態では、ダイバーシティ受信用チューナが二つのチューナを具備する構成であるが、チューナを三つ以上具備し、第一のチューナのみにＰＬＬ回路と電圧制御発振回路を設け、それ以外のチューナにはＰＬＬ回路と電圧制御発振回路を設けない構成にしてもよい。ダイバーシティ受信用チューナが具備するチューナの数が多いほどコスト削減効果を大きくすることができる。また、第一実施形態及び第三実施形態では、チューナの数が増えれば増えるほど第一のチューナからそれ以外のチューナに分配される局部発振信号のレベルは下がることになるが、第三実施形態のようにバッファアンプ（増幅度が１以上のバッファ回路）を設けることで分配による局部発振信号のレベル低下を補うことができる。
【００６２】
また、上記第一〜第四実施形態では、ＰＬＬ回路１ｅから四本の同調電圧出力ラインが引き出されているが、ＰＬＬ回路１ｅから引き出される同調電圧出力ラインを一本にまとめ、その一本の同調電圧出力ラインが四つに分岐してそれぞれバンドパスフィルタ１ｂ、バンドパスフィルタ１ｄ、電圧制御発振回路１ｆ、同調電圧出力端子１ｊに接続される構成としても構わない。これにより、第一のチューナ内に設けられる同調電圧出力ラインの総ライン長を短くすることができ、第一のチューナひいてはダイバーシティ受信用チューナの小型化を図ることができる。
【００６３】
また、ダイバーシティ受信用チューナとそのダイバーシティ受信用チューナの出力信号に基づいて復調信号を生成する復調部とを有するダイバーシティ受信装置に本発明に係るダイバーシティ受信用チューナを適用することによって、最良の受信状況であるアンテナからの受信信号を常時受信でき尚かつ低廉なダイバーシティ受信装置を実現することができる。なお、上記第一〜第四実施形態では、各チューナ毎に筐体で覆い電気的にシールドしたが、各チューナに接続されるそれぞれの復調回路やそれ以外の付加回路を含めたもの毎を筐体で覆い電気的にシールドするようにしてもよい。また、上記第一〜第四実施形態において、復調回路４、復調回路６、及び比較器７の代わりに、比較機能付き復調回路を設けてもよい。かかる比較機能付き復調回路は、第一のチューナから出力される中間周波信号と第二のチューナから出力される中間周波信号とを入力し、品質が良い方の中間周波信号を選択し、その選択した中間周波信号を復調して復調信号を生成して出力する回路である。
【００６４】
さらに、ダイバーシティ受信装置とそのダイバーシティ受信装置の出力信号に基づいて映像や音声等を出力する出力装置を有する電気機器（例えばテレビジョンや携帯電話機など）に本発明に係るダイバーシティ受信装置を適用することで、映像や音声等の出力時におけるノイズやエラーを低減することができる電気機器を実現することができる。
【図面の簡単な説明】
【００６５】
【図１】は、本発明の第一実施形態に係るダイバーシティ方式受信用チューナの構成を示す図である。
【図２】は、本発明の第二実施形態に係るダイバーシティ方式受信用チューナの構成を示す図である。
【図３】は、本発明の第三実施形態に係るダイバーシティ方式受信用チューナの構成を示す図である。
【図４】は、本発明の第四実施形態に係るダイバーシティ方式受信用チューナの構成を示す図である。
【図５】は、従来のチューナの一構成例を示す図である。
【図６】は、従来のダイバーシティ受信用チューナの一構成例を示す図である。
【符号の説明】
【００６６】
１’、２’  チューナ
３、５  アンテナ
４、６  復調回路
７  比較器
８  タンク回路
９  コンデンサ
１０  バッファアンプ
１１  バルンコイル
１０１〜１０４  ダイバーシティ受信用チューナ
【図１】
2005130279.tif 000003
【図２】
2005130279.tif 000004
【図３】
2005130279.tif 000005
【図４】
2005130279.tif 000006
【図５】
2005130279.tif 000007
【図６】
2005130279.tif 000008
【手続補正書】
【提出日】平成16年6月30日(2004.6.30)
【手続補正１】
【補正対象書類名】特許請求の範囲
【補正対象項目名】請求項１
【補正方法】変更
【補正の内容】
【請求項１】
第一のＰＬＬ回路と前記第一のＰＬＬ回路が生成する同調電圧によって制御される第一の電圧制御発振回路とを有し、前記第一の電圧制御発振回路から出力される局部発振信号を用いて受信希望信号を周波数変換する第一のチューナを一つ備え、
前記電圧制御発振回路から出力される局部発振信号を用いて受信希望信号を周波数変換するチューナを少なくとも一つ備えることを特徴とするダイバーシティ受信用チューナ。
【手続補正２】
【補正対象書類名】特許請求の範囲
【補正対象項目名】請求項４
【補正方法】変更
【補正の内容】
【請求項４】
第一のＰＬＬ回路と前記第一のＰＬＬ回路が生成する同調電圧によって制御される第一の電圧制御発振回路とを有し、前記第一の電圧制御発振回路から出力される局部発振信号を用いて受信希望信号を周波数変換する第一のチューナを一つ備え、
前記第一のＰＬＬ回路が生成する同調電圧によって制御される電圧制御発振回路を有し、前記電圧制御発振回路から出力される局部発振信号を用いて受信希望信号を周波数変換するチューナを少なくとも一つ備えることを特徴とするダイバーシティ受信用チューナ。
【手続補正３】
【補正対象書類名】明細書
【補正対象項目名】００１７
【補正方法】変更
【補正の内容】
【００１７】
上記目的を達成するために本発明に係るダイバーシティ受信用チューナにおいては、第一のＰＬＬ回路と前記第一のＰＬＬ回路が生成する同調電圧によって制御される第一の電圧制御発振回路とを有し、前記第一の電圧制御発振回路から出力される局部発振信号を用いて受信希望信号を周波数変換する第一のチューナを一つ備え、前記電圧制御発振回路から出力される局部発振信号を用いて受信希望信号を周波数変換するチューナを少なくとも一つ備える構成（以下、第一の構成ともいう）としている。
【手続補正４】
【補正対象書類名】明細書
【補正対象項目名】００２３
【補正方法】変更
【補正の内容】
【００２３】
上記目的を達成するために本発明に係るダイバーシティ受信用チューナにおいては、第一のＰＬＬ回路と前記第一のＰＬＬ回路が生成する同調電圧によって制御される第一の電圧制御発振回路とを有し、前記第一の電圧制御発振回路から出力される局部発振信号を用いて受信希望信号を周波数変換するチューナを一つ備え、前記第一のＰＬＬ回路が生成する同調電圧によって制御される電圧制御発振回路を有し、前記電圧制御発振回路から出力される局部発振信号を用いて受信希望信号を周波数変換するチューナを少なくとも一つ備える構成（以下、第二の構成ともいう）としている。
【手続補正５】
【補正対象書類名】明細書
【補正対象項目名】００４４
【補正方法】変更
【補正の内容】
【００４４】
本発明の第二実施形態に係るダイバーシティ受信用チューナ１０２が具備する第一のチューナＩＣチップＰ１は、ミキサ回路１ｇ、ＰＬＬ回路１ｅ、及び電圧制御発振回路１ｆが一体化したＩＣチップであり、タンク回路接続端子１ｋを有している。また、本発明の第二実施形態に係るダイバーシティ受信用チューナ１０２が具備する第二のチューナＩＣチップＰ２は、ミキサ回路２ｇ及び電圧制御発振回路２ｆが一体化したＩＣチップであり、タンク回路接続端子２ｋを有している。
【手続補正６】
【補正対象書類名】明細書
【補正対象項目名】００４６
【補正方法】変更
【補正の内容】
【００４６】
タンク回路接続端子１ｋは直接タンク回路８に接続され、タンク回路接続端子２ｋは小容量のコンデンサ９を介してタンク回路８にルーズカップリングされる。なお、コンデンサ９の代わりにタンク回路接続端子２ｋとタンク回路８をルーズカップリングする他の素子を用いても構わない。また、タンク回路接続端子１ｋとタンク回路８をルーズカップリングし、タンク回路接続端子２ｋとタンク回路８を直接接続してもよい。
【手続補正７】
【補正対象書類名】明細書
【補正対象項目名】００４９
【補正方法】変更
【補正の内容】
【００４９】
また、第一のチューナと第二のチューナは同一の受信希望信号を扱うので、各チューナをそれぞれ筐体で覆って電気的にシールドしなくてもある程度の性能は確保できるが、各チューナ間の干渉を考慮するとそれぞれのチューナは筐体で覆われ電気的にシールドされていることが望ましい。また、第一のチューナを筐体で覆って電気的にシールドし更に局部発振信号出力端子１ｉ及びタンク回路接続端子１ｋを設けることにより、第一のチューナを本発明に係るダイバーシティ受信用チューナの一部として使用する事も可能であるし、ダイバーシティ方式を用いない場合にはチューナ単体としても使用する事が出来る。つまり、第一のチューナとしてダイバーシティ方式専用の物を作成する必要はなく、従来のチューナ１（図５参照）に少しの変更を付加するだけで、本発明に係るダイバーシティ受信用チューナの一部としても使用する事ができ、チューナ単体としても使用する事ができる汎用性の高いチューナとする事が可能となり、設計効率等を高めることができる。
【手続補正８】
【補正対象書類名】図面
【補正対象項目名】図１
【補正方法】変更
【補正の内容】
【図１】
2005130279.tif 000009
【手続補正９】
【補正対象書類名】図面
【補正対象項目名】図２
【補正方法】変更
【補正の内容】
【図２】
2005130279.tif 000010
【手続補正１０】
【補正対象書類名】図面
【補正対象項目名】図３
【補正方法】変更
【補正の内容】
【図３】
2005130279.tif 000011
【手続補正１１】
【補正対象書類名】図面
【補正対象項目名】図４
【補正方法】変更
【補正の内容】
【図４】
2005130279.tif 000012
【手続補正書】
【提出日】平成16年10月5日(2004.10.5)
【手続補正１】
【補正対象書類名】特許請求の範囲
【補正対象項目名】請求項１
【補正方法】変更
【補正の内容】
【請求項１】
第一のＰＬＬ回路と前記第一のＰＬＬ回路が生成する同調電圧によって制御される第一の電圧制御発振回路とを有し、前記第一の電圧制御発振回路から出力される局部発振信号を用いて受信希望信号を周波数変換する第一のチューナを一つ備え、
前記第一の電圧制御発振回路から出力される局部発振信号を用いて受信希望信号を周波数変換するチューナを少なくとも一つ備えることを特徴とするダイバーシティ受信用チューナ。
【手続補正２】
【補正対象書類名】特許請求の範囲
【補正対象項目名】請求項２
【補正方法】変更
【補正の内容】
【請求項２】
バッファ回路を少なくとも一つ備え、
前記第一の電圧制御発振回路から出力される局部発振信号が前記バッファ回路を介して前記チューナに供給される請求項１に記載のダイバーシティ受信用チューナ。
【手続補正３】
【補正対象書類名】特許請求の範囲
【補正対象項目名】請求項３
【補正方法】変更
【補正の内容】
【請求項３】
前記チューナを少なくとも二つ備え、
バルンコイルを少なくとも一つ備え、
前記第一の電圧制御発振回路から出力される局部発振信号が前記バルンコイルを介して前記チューナに供給されるとともに、前記バルンコイルが前記チューナ同士に関してアイソレーションを発生させる請求項１に記載のダイバーシティ受信用チューナ。
【手続補正４】
【補正対象書類名】明細書
【補正対象項目名】００１７
【補正方法】変更
【補正の内容】
【００１７】
上記目的を達成するために本発明に係るダイバーシティ受信用チューナにおいては、第一のＰＬＬ回路と前記第一のＰＬＬ回路が生成する同調電圧によって制御される第一の電圧制御発振回路とを有し、前記第一の電圧制御発振回路から出力される局部発振信号を用いて受信希望信号を周波数変換する第一のチューナを一つ備え、前記第一の電圧制御発振回路から出力される局部発振信号を用いて受信希望信号を周波数変換するチューナを少なくとも一つ備える構成（以下、第一の構成ともいう）としている。
【手続補正５】
【補正対象書類名】明細書
【補正対象項目名】００１９
【補正方法】変更
【補正の内容】
【００１９】
また、上記第一の構成において、バッファ回路を少なくとも一つ備え、前記第一の電圧制御発振回路から出力される局部発振信号が前記バッファ回路を介して前記チューナに供給されるようにしてもよい。
【手続補正６】
【補正対象書類名】明細書
【補正対象項目名】００２１
【補正方法】変更
【補正の内容】
【００２１】
また、上記第一の構成において、前記チューナを少なくとも二つ備え、バルンコイルを少なくとも一つ備え、前記第一の電圧制御発振回路から出力される局部発振信号が前記バルンコイルを介して前記チューナに供給されるとともに、前記バルンコイルが前記チューナ同士に関してアイソレーションを発生させるようにしてもよい。
【手続補正７】
【補正対象書類名】明細書
【補正対象項目名】００６１
【補正方法】変更
【補正の内容】
【００６１】
また、上記第一〜第三実施形態では、ダイバーシティ受信用チューナが二つのチューナを具備する構成であるが、チューナを三つ以上具備し、第一のチューナのみにＰＬＬ回路と電圧制御発振回路を設け、それ以外のチューナにはＰＬＬ回路と電圧制御発振回路を設けない構成にしてもよい。ダイバーシティ受信用チューナが具備するチューナの数が多いほどコスト削減効果を大きくすることができる。また、第一実施形態及び第二実施形態では、チューナの数が増えれば増えるほど第一のチューナからそれ以外のチューナに分配される局部発振信号のレベルは下がることになるが、第三実施形態のようにバッファアンプ（増幅度が１以上のバッファ回路）を設けることで分配による局部発振信号のレベル低下を補うことができる。